(57)【要約】【課題】  本発明は、テレビジョン受像機及びテレビジョン受像機の制御方法に関し、特に車載用のテレビジョン受像機に適用して、テレビジョン放送に係る番組の音声だけを提供する場合等にあっても、安全運転を確保することができるようにする。【解決手段】  本発明は、番組の視聴開始により記録媒体の所定領域に順次循環的に番組を記録し、ユーザーによる番組の記録開始の指示により、この循環的な番組の記録を終了して、別途、番組を記録する。【選択図】        図１
2005045570.tif 000002
【特許請求の範囲】
【請求項１】
車両に搭載されるテレビジョン受像機において、
テレビジョン放送の番組の視聴開始により、記録媒体の所定領域に順次循環的に前記番組を記録し、
前記番組の記録開始の指示により、前記循環的な番組の記録を終了すると共に、別途、前記番組の記録を開始する
ことを特徴とするテレビジョン受像機。
【請求項２】
前記車両の走行により、前記番組視聴に係る映像の表示を中止する
ことを特徴とする請求項１に記載のテレビジョン受像機。
【請求項３】
前記記録媒体に記録された番組の再生の指示により、前記循環的な番組の記録に係る箇所から順次番組を再生してユーザーに提供する
ことを特徴とする請求項１に記載のテレビジョン受像機。
【請求項４】
車両に搭載されるテレビジョン受像機の制御方法において、
テレビジョン放送の番組の視聴開始により、記録媒体の所定領域に順次循環的に前記番組を記録し、
前記番組の記録開始の指示により、前記循環的な番組の記録を終了すると共に、別途、前記番組の記録を開始する
ことを特徴とするテレビジョン受像機の制御方法。
【発明の詳細な説明】
【技術分野】
【０００１】
本発明は、テレビジョン受像機及びテレビジョン受像機の制御方法に関し、特に車載用のテレビジョン受像機に適用することができる。本発明は、番組の視聴開始により記録媒体の所定領域に順次循環的に番組を記録し、ユーザーによる番組の記録開始の指示により、この循環的な番組の記録を終了して、別途、番組を記録することにより、テレビジョン放送に係る番組の音声だけを提供する場合等にあっても、安全運転を確保することができるようにする。
【背景技術】
【０００２】
従来、車載の表示装置であるカーナビゲーション装置においては、テレビジョンチュナーを接続してテレビジョン受像機として使用できるようになされている。またテレビジョン放送の専用受信器においても、車載用が提供されるようになされている。このようなテレビジョン受像機においては、例えば特開平６−２６２９８４号公報に開示されているように、走行の開始によりテレビジョン放送の表示を中止し、これにより安全運転を図るようになされている。
【０００３】
またこのようにテレビジョン放送の表示を中止した場合であっても、音声だけはユーザーに提供する方法も提案されるようになされており、この方法にあっては、走行中にテレビジョン放送の番組を車内で楽しむことができ、その分、使い勝手を向上できると考えられる。
【０００４】
しかしながらこのようにテレビジョン放送の音声だけ提供する場合にあっては、却ってユーザーの番組視聴意欲をかき立て、安全運転の妨げとなる場合も考えられる。
【特許文献１】特開平６−２６２９８４号公報
【発明の開示】
【発明が解決しようとする課題】
【０００５】
本発明は以上の点を考慮してなされたもので、走行中には、テレビジョン放送に係る番組の音声だけを提供する場合等にあっても、安全運転を確保することができるテレビジョン受像機及びテレビジョン受像機の制御方法を提案しようとするものである。
【課題を解決するための手段】
【０００６】
係る課題を解決するため請求項１の発明においては、車両に搭載されるテレビジョン受像機に適用して、テレビジョン放送の番組の視聴開始により、記録媒体の所定領域に順次循環的に番組を記録し、番組の記録開始の指示により、循環的な番組の記録を終了すると共に、別途、番組の記録を開始する。
【０００７】
また請求項４の発明においては、車両に搭載されるテレビジョン受像機の制御方法に適用して、テレビジョン放送の番組の視聴開始により、記録媒体の所定領域に順次循環的に番組を記録し、番組の記録開始の指示により、循環的な番組の記録を終了すると共に、別途、番組の記録を開始する。
【０００８】
請求項１の構成により、車両に搭載されるテレビジョン受像機に適用して、テレビジョン放送の番組の視聴開始により、記録媒体の所定領域に順次循環的に番組を記録し、番組の記録開始の指示により、循環的な番組の記録を終了すると共に、別途、番組の記録を開始すれば、ユーザーによる番組の記録開始の指示により、この記録開始の指示時点より遡った時点の番組を記録した状態で、指示に係る番組を記録することができる。これにより例えば走行中により音声だけユーザーに提供している場合であっても、ユーザーにおいては、この記録した番組を改めて視聴できることにより、ゆとりのある運転により安全運転を確保することができる。また記録開始の指示時点より遡った時点の番組までも記録されていることにより、慌てて番組の記録を指示しなくても、所望する番組を改めて視聴することができ、これによっても安全運転を図ることができる。
【０００９】
これにより請求項４の構成によれば、走行中に、テレビジョン放送に係る番組の音声だけを提供する場合等にあっても、安全運転を確保することができるテレビジョン受像機の制御方法を提供することができる。
【発明の効果】
【００１０】
本発明によれば、走行中に、テレビジョン放送に係る番組の音声だけを提供する場合等にあっても、安全運転を確保することができる。
【発明を実施するための最良の形態】
【００１１】
以下、適宜図面を参照しながら本発明の実施例を詳述する。
【実施例１】
【００１２】
（１）実施例の構成
図２は、本発明の実施例１に係るテレビジョン受像機を示すブロック図である。このテレビジョン受像機１において、チュナー部２は、システム制御部３の制御により、アンテナＡで受信される放送波よりユーザーの所望する放送波を選局して受信し、その受信結果であるビデオ信号及びオーディオ信号を出力する。アナログディジタル変換回路（Ａ／Ｄ）４は、このチュナー部２から出力されるビデオ信号及びオーディオ信号をアナログディジタル変換処理し、ビデオデータ及びオーディオデータを出力する。エンコード制御部６は、このアナログディジタル変換回路４から出力されるビデオデータ及びオーディオデータをデータ圧縮してバスＢＵＳに出力する。デコード制御部７は、システム制御部３の制御により動作を切り換え、バスＢＵＳに出力されるビデオデータ及びオーディオデータをデータ伸長して出力する。ディジタルアナログ変換回路（Ｄ／Ａ）８は、このデコード制御部７でデータ伸長されてなるオーディオデータを入力してディジタルアナログ変換処理し、その処理結果であるオーディオ信号を出力する。増幅回路９は、このオーディオ信号によりスピーカ１０を駆動し、これによりテレビジョン放送に係る番組の音声を出力する。表示制御部１１は、デコード制御部７でデータ伸長されてなるビデオデータにより液晶表示装置等による表示部１２を駆動し、これによりこの表示部１２にテレビジョン放送の映像を表示する。これらによりこのテレビジョン受像機１では、所望するテレビジョン放送を視聴できるようになされている。
【００１３】
インターフェース（Ｉ／Ｆ）１３は、システム制御部３の制御により動作し、バスＢＵＳに出力される各種のデータをメモリカード１４に記録し、またこれとは逆に、メモリカード１４に記録された各種のデータを読み出してバスＢＵＳに出力する。これによりこのテレビジョン受像機１では、メモリカード１４に記録した各種コンテンツを楽しむことができるようになされ、さらにはバスＢＵＳに出力される各種のデータをメモリカード１４に記録して保存できるようになされている。
【００１４】
ハードディスク装置（ＨＤＤ）１５は、ハードディスク制御部（ＨＤＤ制御部）１６の制御によりハードディスク制御部１６の出力データをハードディスクに記録し、またハードディスクに記録されたデータを再生してハードディスク制御部１６に出力する。ハードディスク制御部１６は、ファイルシステム制御部１９の制御によりハードディスク装置１５の動作を制御し、バスＢＵＳに出力される各種のデータをハードディスク装置１５に記録し、またハードディスク装置１５で再生されたデータをバスＢＵＳに出力する。これによりこのテレビジョン受像機１では、テレビジョン放送の番組をハードディスク装置１５に記録し、またこの記録した番組を表示部１２、スピーカ１０により視聴できるようになされ、さらにはメモリカード１４に記録して自宅にて視聴できるようになされている。
【００１５】
システム制御部３は、所定の処理手順の実行によりこのテレビジョン受像機１の動作を制御するコンピュータであり、図示しない操作子、リモートコマンダーの操作によりユーザーがテレビジョン放送の視聴を指示すると、チュナー部２、アナログディジタル変換回路４、エンコード制御部６の動作を制御してユーザーの所望するテレビジョン放送局を受信し、またデコード制御部７等の制御によりこの受信したテレビジョン放送局の番組をユーザーに提供する。またこのような番組の視聴開始をファイルシステム制御部１９に通知する。
【００１６】
この一連の処理において、システム制御部３は、このテレビジョン受像機１が搭載されている車両からの車速パルスＰＳにより、又はパーキングブレーキの設定により、この車両が走行中か否か判断し、走行中の場合は、表示部１２の表示を中止して音声のみにより番組を提供する。またこのようにして番組をユーザーに提供している状態でユーザーにより番組の記録が指示されると、ファイルシステム制御部１９に番組の記録を指示する。またこのとき音声ガイドによりユーザーより記録時間の入力を受け付け、この記録時間だけ番組を記録すると、又はユーザーにより番組の記録続行が指示されると、ファイルシステム制御部１９に記録の終了を指示する。またこのような番組の記録中に、ユーザーによるキー操作により電源が立ち下げられると、ビデオデータ、オーディオデータの出力に係る表示制御部１１等の電源の供給を停止して映像の表示、音声の出力を中止し、バックグランドにより番組の記録を継続する。
【００１７】
またユーザーによりこのような記録した番組の再生が指示されると、ファイルシステム制御部１９を介してハードディスク装置１５に記録された番組のファイル一覧を取得する。また、この一覧によるユーザーの選択により、対応するファイルの再生をファイルシステム制御部１９に指示し、ユーザーの指示に応じてこの再生したファイルに係る番組をユーザーに提供し、さらにはメモリカード１４に記録する。
【００１８】
ファイルシステム制御部１９は、ハードディスク装置１５のファイル管理システムに係る制御部であり、このテレビジョン受像機１の電源が立ち上げられてハードディスク装置１５が動作を立ち上げると、このハードディスク装置１５からハードディスクのファイル管理領域に記録されたファイル管理情報をロードして保持する。システム制御部３は、このようにして保持したファイル管理情報よりハードディスク装置１５の空き領域を検出してハードディスク制御部１６に書き込みのコマンドを発行し、またこの書き込みのコマンドに対応して保持したファイル管理情報、ハードディスク装置１５に記録したファイル管理情報を更新する。またこの保持したファイル管理情報により順次コマンドを発行してハードディスク装置１５に記録されたファイルを再生する。
【００１９】
この一連の処理において、ファイルシステム制御部１９は、システム制御部３の制御により、このテレビジョン受像機１でテレビジョン放送の視聴を開始すると、ハードディスク制御部１６を制御してループ記録を開始する。ここでループ記録は、図３（Ａ）に示すように、ハードディスク装置１５に一定データ量の領域ＡＲ１を確保し、矢印Ａにより示すように、この領域ＡＲ１に順次循環的にデータを記録する処理であり、この実施例では、ループ記録に係るデータにエンコード制御部６でデータ圧縮されたビデオデータ及びオーディオデータが割り当てられる。
【００２０】
ファイルシステム制御部１９は、このループ記録において、この領域ＡＲ１における現在の記録位置をクラスタアドレスによるフレームカウンタＰにより管理することにより、現在時点より領域ＡＲ１のデータ量の分だけ、常に、番組を記録して保持するようになされ、これによりユーザーによる番組記録開始の指示が遅れた場合でも、充分に対応できるようになされている。
【００２１】
またファイルシステム制御部１９は、このようにしてループ記録して、システム制御部３より番組の記録が指示されると、このループ記録を終了し、図３（Ｂ）に示すように、このループ記録に係る領域ＡＲ１に続く領域からこの番組に係るビデオデータ及びオーディオデータの記録をハードディスク制御部１６に指示する。またこのようにして番組の記録を開始してシステム制御部３より記録の終了が指示されると、ファイルシステム制御部１９は、ハードディスク制御部１６に記録の終了を指示する。
【００２２】
ファイルシステム制御部１９は、このようにしてループ記録の後、番組を記録した場合、ループ記録に係る領域ＡＲ１による１つのファイルＦｉｌｅ１をファイル管理情報に記録し、またこの領域ＡＲ１に続く番組の記録に係るファイルＦｉｌｅ２をファイル管理情報に記録する。またこれらファイルＦｉｌｅ１、ファイルＦｉｌｅ２を１つのファイルとして管理する記録管理情報を図４に示すように設定する。
【００２３】
ここでこの記録管理情報は、これらファイルＦｉｌｅ１、ファイルＦｉｌｅ２による１つのファイルのファイル名Ｌ１、ファイルＦｉｌｅ２によるファイルのファイル管理情報上における管理ファイル名Ｌ２、ループ記録に係る領域ＡＲ１のファイルＦｉｌｅ１のファイル管理情報上における管理ファイル名Ｌ３、不要部情報Ｌ４により構成される。ここでファイルシステム制御部１９は、図３（Ｂ）に示すように、システム制御部３から番組の記録開始が指示された時点でフレームカウンタＰで指示される記録位置から、所定データ量だけ遡った領域を再生に必要な箇所とし、領域ＡＲ１のこの必要な箇所以外を不要部Ｎとし、このポインタＰのアドレス、又はこのフレームカウンタＰのアドレスにより特定される必要な箇所の先頭アドレスを不要部情報Ｌ４に割り当てる。これによりファイルシステム制御部１９は、ループ記録の終了時点より一定データ量について、ループ記録に係るビデオデータ及びオーディオデータの記録位置をこの不要部情報Ｌ４により検出できるようになされている。
【００２４】
ファイルシステム制御部１９は、このようにしてループ記録に関連するファイルＦｉｌｅ１、Ｆｉｌｅ２については、ファイル管理情報上のファイル名Ｌ２、Ｌ３に代えて、この記録管理情報によるファイル名Ｌ１をシステム制御部３に通知し、この記録管理情報によるファイル名Ｌ１によりシステム制御部３からファイルの処理を受け付ける。またシステム制御部３からファイルの再生が指示されると、図３（Ｃ）において再生の順序を矢印により示すように、不要部情報Ｌ４に基づいてループ記録に係る領域ＡＲ１の再生に必要な箇所を記録順に再生した後、続くファイルを再生する。
【００２５】
すなわち図１は、この車両の走行時におけるファイルシステム制御部１９の処理手順を示すフローチャートである。ファイルシステム制御部１９は、システム制御部３からテレビジョン放送の受信開始が指示されると、ステップＳＰ１からステップＳＰ２に移り、ここで図４について上述したファイル名Ｌ１、ループ記録に係るファイル名Ｌ２を記録管理情報に事前に設定する。なおこのファイル名Ｌ１については、例えばシステム制御部３からの指示によりこの番組の視聴に係る日時等により作成される。続いてファイルシステム制御部１９は、ステップＳＰ３に移り、フレームカウンタＰのカウント値がループ記録に係る領域ＡＲ１の先頭アドレスを示すように、フレームカウンタＰをリセットし、続くステップＳＰ４において、ループ記録に係る記録をハードディスク制御部１６に指示する。また続くステップＳＰ５において、システム制御部３から記録が指示されたか否か判断し、ここで否定結果が得られると、ステップＳＰ６に移る。このステップＳＰ６において、ファイルシステム制御部１９は、フレームカウンタによるカウント値Ｂがループ記録に係る領域ＡＲ１の末尾のクラスタアドレスに到達したか否か判断し、ここで否定結果が得られると、ステップＳＰ５に戻るのに対し、肯定結果が得られると、ステップＳＰ３に戻る。これによりファイルシステム制御部１９は、ハードディスク装置１５に確保したループ記録に係る領域ＡＲ１に順次循環的にテレビジョン放送を受信して得られるビデオデータ及びオーディオデータを記録するようになされている。なおこの一連の処理において、ユーザーにより番組の視聴が中止されると、ファイルシステム制御部１９は、システム制御部３からの通知により、この一連の処理を中止し、ステップＳＰ２において事前に登録したファイル名Ｌ１等の記録を削除した後、この処理手順を終了する。
【００２６】
これに対してユーザーが番組の記録を指示した場合、ファイルシステム制御部１９は、システム制御部３からの通知により、ステップＳＰ５で肯定結果が得られ、ステップＳＰ７に移る。ここでファイルシステム制御部１９は、現在時点におけるフレームカウンタＰのカウント値に基づいて、上述した不要部情報Ｌ４を記録管理情報に設定し、続くステップＳＰ８において、領域ＡＲ１に続く領域からのビデオデータ及びオーディオデータの記録をハードディスク制御部１６に指示し、これにより上述したファイルＦｉｌｅ２の記録を開始する。また続くステップＳＰ９において、この続くファイルの記録に対応するように、記録管理情報にファイル名を登録し、続くステップＳＰ１０において、ユーザーによる記録終了の指示によりシステム制御部３から記録の終了が指示されたか否か判断する。ここで否定結果が得られると、ファイルシステム制御部１９は、ステップＳＰ１０の処理を繰り返すのに対し、肯定結果が得られると、ステップＳＰ１１に移り、この処理手順を終了する。
【００２７】
（２）実施例の動作
以上の構成において、このテレビジョン受像機１では、ユーザーが番組の視聴を指示すると、システム制御部３の制御によりチュナー部２で所望のテレビジョン放送波が受信され、アナログディジタル変換回路４よりこのテレビジョン放送波のビデオデータ及びオーディオデータが出力される。このビデオデータ及びオーディオデータは、エンコード制御部６でデータ圧縮された後、デコード制御部７によりデータ伸長され、オーディオデータにあってはスピーカ１０から出力される。またビデオデータにあっては表示制御部１１による表示部１２の駆動により表示部１２で表示される。これによりこのテレビジョン受像機１では、例えば停車中に所望の番組を視聴して運転の疲れを癒すことができる。
【００２８】
テレビジョン受像機１では、このようにして番組の視聴を開始して、車両の走行が開始されると、車速パルスＰＳにより、又はパーキングブレーキの操作により、システム制御部３でこの車両の走行が検出され、システム制御部３による制御により表示部１２による画像の表示が停止される。これによりこのテレビジョン受像機１では、車両が走行中の場合には、番組の音声だけ提供して、番組を試聴できるようになされている。
【００２９】
これによりこのテレビジョン受像機１の車両において、運転手の視線にあっては、運転に必要な各部を注視して運転に集中することができ、安全運転を図ることができる。しかしながら番組を音声により提供していることにより、番組の視聴意欲にあっては、却ってかき立てられる場合もあり、この場合は、スピードの出し過ぎ等を来す恐れがある。
【００３０】
このテレビジョン受像機１では、ユーザーが番組の視聴を開始すると、ファイルシステム制御部１９によるハードディスク制御部１６の制御により、ハードディスク装置１５でループ記録の処理が実行され、ハードディスクの一定の領域ＡＲ１に順次循環的に、エンコード制御部６から出力されるビデオデータ及びオーディオデータが記録される。これによりこのテレビジョン受像機１では、現在時点よりこの領域ＡＲ１のデータ量の分だけ、常に、番組を記録して保持するようになされている。
【００３１】
またユーザーが番組の記録を指示した場合、このループ記録を終了して、別途、エンコード制御部６から出力されるビデオデータ及びオーディオデータの記録が開始される。これによりユーザーにおいては、このようにして記録した番組を改めて視聴できることにより、ゆとりのある運転により安全運転を確保することができる。
【００３２】
またループ記録により、記録開始の指示時点より遡った時点の番組までも記録されていることにより、慌てて番組の記録を指示しなくても、所望する番組を改めて視聴することができ、これによっても安全運転を図ることができる。
【００３３】
すなわちこのテレビジョン受像機１では、ユーザーが改めてファイルを指定してこのよにして記録した番組の再生を指示すると、ハードディスク装置１５に記録された対応するビデオデータ及びオーディオデータが再生されてデコード制御部７によりデータ伸長され、スピーカ１０、表示部１２によりユーザーに提供される。このときテレビジョン受像機１では、ループ記録に係る部分から所定領域を不要部に設定して、ループ記録に係る部分から順次ビデオデータ及びオーディオデータを再生した後、別途記録したファイルよりビデオデータ及びオーディオデータを再生してユーザーに提供する。これによりテレビジョン受像機１では、運転に集中して、運転にゆとりのある時点で番組の記録を指示することができ、その分、安全運転を図ることができる。
【００３４】
（３）実施例の効果
以上の構成によれば、番組の視聴開始により記録媒体の所定領域に順次循環的に番組を記録し、ユーザーによる番組の記録開始の指示により、この循環的な番組の記録を終了して、別途、番組を記録することにより、テレビジョン放送に係る番組の音声だけを提供する場合にあっても、安全運転を確保することができる。
【００３５】
すなわち車両の走行により、番組視聴に係る映像の表示を中止することにより、音声だけをユーザーに提供する場合であっても、安全運転を確保することができる。
【００３６】
また記録媒体に記録された番組の再生の指示により、循環的な番組の記録に係る箇所から順次番組を再生してユーザーに提供することにより、慌てて番組の記録を指示しなくても、運転にゆとりのある時点で番組の記録を指示することができ、その分、安全運転を図ることができる。
【実施例２】
【００３７】
なお上述の実施例においては、走行中は音声だけ提供する場合について述べたが、本発明はこれに限らず、番組を記録している場合にあっては、音声の提供をも停止するようにしてもよい。
【００３８】
また上述の実施例においては、ハードディスク装置に番組を記録する場合について述べたが、本発明はこれに限らず、光ディスク等、種々の記録媒体に記録する場合に広く適用することができる。
【産業上の利用可能性】
【００３９】
本発明は、テレビジョン受像機及びテレビジョン受像機の制御方法に関し、特に車載用のテレビジョン受像機に適用することができる。
【図面の簡単な説明】
【００４０】
【図１】本発明の実施例１に係るテレビジョン受信機におけるファイルシステム制御部の処理手順を示すフローチャートである。
【図２】本発明の実施例１に係るテレビジョン受信機を示すブロック図である。
【図３】図１の処理手順の説明に供する図表である。
【図４】個別ファイル管理情報を示す図表である。
【符号の説明】
【００４１】
１……テレビジョン受像機、３……システム制御部、１０……スピーカ、１２……表示部、１５……ハードディスク装置、１６……ハードディスク制御部、１９……ファイルシステム制御部
【図１】
2005045570.tif 000003
【図２】
2005045570.tif 000004
【図３】
2005045570.tif 000005
【図４】
2005045570.tif 000006